(57)【特許請求の範囲】
【請求項１】
後鏡筒と、
前記後鏡筒の前方に組みつけられ前記後鏡筒と共に撮像光学系を収容する収容空間を形成する前鏡筒と、
前記前鏡筒に係止すると共に前記後鏡筒に係止し前記前鏡筒および前記後鏡筒を前後方向において挟持するカバーと、
前記前鏡筒の前面に取着されるシャッター部とを備え、
前記シャッター部は、前記撮像光学系の光路を開閉するシャッター羽根と、前記シャッター羽根を収容し前記光路用の開口が形成されたケースとを有し、
前記シャッター部の前記前鏡筒の前面への取着は、前記カバーに設けられたカバー側係止部と、前記ケースに設けられたケース側係止部とが係止することでなされ、
前記前鏡筒の前面は矩形枠状を呈し、
前記カバーは、前記前面の四隅を除いた部分を覆い中央に開口が設けられた前面部と、前記前面部の互いに対向する辺から後方に屈曲された一対の側面部とを有し、
前記カバーによる前記前鏡筒と前記後鏡筒の挟持は、前記前面部が前記前面に係止すると共に、前記後鏡筒に設けられた係止突起が、前記側面部に設けられた係止孔に係止することでなされる、
カメラモジュール。
【請求項２】
前記一対の側面部は、前記前鏡筒の互いに対向する辺に沿った幅を有し、
前記各側面部の幅方向の両側に、前記カバーにより前記前鏡筒と前記後鏡筒とを挟持した状態で、前記前鏡筒の前面よりも前方に突出する突出片がそれぞれ設けられ、
前記突出片の先部に係止孔が形成され、
前記ケースに、前記突出片の前記係止孔に係止可能な係止突起が設けられ、
前記カバー側係止部は、前記突出片の前記係止孔であり、
前記ケース側係止部は、前記係止突起である、
請求項１記載のカメラモジュール。
【請求項３】
後鏡筒と、
前記後鏡筒の前方に組みつけられ前記後鏡筒と共に撮像光学系を収容する収容空間を形成する前鏡筒と、
前記前鏡筒に係止すると共に前記後鏡筒に係止し前記前鏡筒および前記後鏡筒を前後方向において挟持するカバーと、
前記前鏡筒の前面に取着されるシャッター部とを備え、
前記シャッター部は、前記撮像光学系の光路を開閉するシャッター羽根と、前記シャッター羽根を収容し前記光路用の開口が形成されたケースとを有し、
前記シャッター部の前記前鏡筒の前面への取着は、前記カバーに設けられたカバー側係止部と、前記ケースに設けられたケース側係止部とが係止することでなされ、
前記カバー側係止部と前記ケース側係止部とが係止した状態で、前記ケースは前記前鏡筒の前記前面の４隅に臨む面を有し、
前記前面の４隅に臨む前記ケースの面の４箇所のうちの２箇所に、位置決め用の突起が設けられ、
前記前面に前記突起が挿入され前記撮像光学系の光軸と直交する面内の前記ケースの位置決めを行う位置決め孔が設けられている、
カメラモジュール。
【請求項４】
後鏡筒と、
前記後鏡筒の前方に組みつけられ前記後鏡筒と共に撮像光学系を収容する収容空間を形成する前鏡筒と、
前記前鏡筒に係止すると共に前記後鏡筒に係止し前記前鏡筒および前記後鏡筒を前後方向において挟持するカバーと、
前記前鏡筒の前面に取着されるシャッター部とを備え、
前記シャッター部は、前記撮像光学系の光路を開閉するシャッター羽根と、前記シャッター羽根を収容し前記光路用の開口が形成されたケースとを有し、
前記シャッター部の前記前鏡筒の前面への取着は、前記カバーに設けられたカバー側係止部と、前記ケースに設けられたケース側係止部とが係止することでなされ、
前記カバー側係止部と前記ケース側係止部とが係止した状態で、前記ケースは前記前鏡筒の前記前面の４隅に臨む面を有し、
前記前面の４隅に臨む前記ケースの面の４箇所に、前記前面に当接して前後方向の位置決めが行う当接部が設けられている、
カメラモジュール。
【請求項５】
後鏡筒と、
前記後鏡筒の前方に組みつけられ前記後鏡筒と共に撮像光学系を収容する収容空間を形成する前鏡筒と、
前記前鏡筒に係止すると共に前記後鏡筒に係止し前記前鏡筒および前記後鏡筒を前後方向において挟持するカバーと、
前記前鏡筒の前面に取着されるシャッター部とを備え、
前記シャッター部は、前記撮像光学系の光路を開閉するシャッター羽根と、前記シャッター羽根を収容し前記光路用の開口が形成されたケースとを有し、
前記シャッター部の前記前鏡筒の前面への取着は、前記カバーに設けられたカバー側係止部と、前記ケースに設けられたケース側係止部とが係止することでなされ、
前記カバー側係止部と前記ケース側係止部とが係止した状態で、前記ケースは前記前鏡筒の前記前面の４隅に臨む面を有し、
前記前面の４隅に臨む前記ケースの面の４箇所に、前記前面に当接して前後方向の位置決めが行う当接部が設けられ、
前記４箇所のうちの２箇所の前記当接部に、位置決め用の突起がそれぞれ併設され、
前記前面に前記突起が挿入され前記撮像光学系の光軸と直交する面内の前記ケースの位置決めを行う位置決め孔が設けられている、
カメラモジュール。
【請求項６】
撮像光学系を保持し前記収容空間に収容されたレンズ保持部と、
前記収容空間の前記前鏡筒の前面寄りに配設され前記レンズ保持部を後方に付勢するスプリングとをさらに備え、
前記スプリングは前記前鏡筒にインサート成形されており、
前記位置決め孔は、前記前鏡筒の成形時に前記スプリングを保持するために金型のピンが位置していた孔である、
請求項３または５記載のカメラモジュール。
【請求項７】
後鏡筒と、
前記後鏡筒の前方に組みつけられ前記後鏡筒と共に撮像光学系を収容する収容空間を形成する前鏡筒と、
前記前鏡筒に係止すると共に前記後鏡筒に係止し前記前鏡筒および前記後鏡筒を前後方向において挟持するカバーと、
前記前鏡筒の前面に取着されるシャッター部とを備え、
前記シャッター部は、前記撮像光学系の光路を開閉するシャッター羽根と、前記シャッター羽根を収容し前記光路用の開口が形成されたケースとを有し、
前記シャッター部の前記前鏡筒の前面への取着は、前記カバーに設けられたカバー側係止部と、前記ケースに設けられたケース側係止部とが係止することでなされ、
前記カバーで挟持された前記後鏡筒および前記前鏡筒に対して前記シャッター部が取着された状態の前記シャッター部、前記前鏡筒、前記後鏡筒を覆うシールドケースをさらに備え、
前記カバーで挟持された前記後鏡筒および前記前鏡筒に対して前記シャッター部が取着された状態で、前記シャッター部の前記ケースは、前記前鏡筒の前面と反対方向に向いた前面を有し、
前記シールドケースは、前記シャッター部の前記ケースの前記前面に係止し、かつ、前記後鏡筒に係止することで配設され、
前記シールドケースは、前記カバー側係止部および前記ケース側係止部に近接または接触する、
カメラモジュール。
【請求項８】
後鏡筒と、
前記後鏡筒の前方に組みつけられ前記後鏡筒と共に撮像光学系を収容する収容空間を形成する前鏡筒と、
前記前鏡筒に係止すると共に前記後鏡筒に係止し前記前鏡筒および前記後鏡筒を前後方向において挟持するカバーと、
前記前鏡筒の前面に取着されるシャッター部とを備え、
前記シャッター部は、前記撮像光学系の光路を開閉するシャッター羽根と、前記シャッター羽根を収容し前記光路用の開口が形成されたケースとを有し、
前記シャッター部の前記前鏡筒の前面への取着は、前記カバーに設けられたカバー側係止部と、前記ケースに設けられたケース側係止部とが係止することでなされ、
前記カバーで挟持された前記後鏡筒および前記前鏡筒に対して前記シャッター部が取着された状態の前記シャッター部、前記前鏡筒、前記後鏡筒を覆うシールドケースをさらに備え、
前記カバーで挟持された前記後鏡筒および前記前鏡筒に対して前記シャッター部が取着された状態で、前記シャッター部の前記ケースは、前記前鏡筒の前面と反対方向に向いた前面を有し、
前記シールドケースは、前記シャッター部の前記ケースの前記前面に係止し、かつ、前記後鏡筒に係止することで配設され、
前記シャッター部の前記ケースは、前記シールドケースにより前記前鏡筒の前記前面に付勢される、
カメラモジュール。
【請求項９】
前記シャッター部の前記ケースの前記前面の中間部に該前面の両側部よりも前方に突出した凸部が設けられ、
前記シールドケースは、前記シャッター部の前記ケースの前記前面に対向する前面部を有し、
前記シールドケースの、前記シャッター部の前記ケースの前記前面への係止は、前記シールドケースの前面が前記凸部に当接することでなされ、
前記シールドケースの配設状態で前記シールドケースの前面部は、前記凸部に当接した前記シールドケースの前面部部分が他の前面部部分よりも前方に位置するように弾性変形している、
請求項７または８記載のカメラモジュール。
【発明の詳細な説明】
【技術分野】
【０００１】
本発明は例えば携帯用の電子機器などに組み込まれるカメラモジュールに関する。
【背景技術】
【０００２】
近年、カメラモジュールが組み込まれた携帯電話機、あるいはＰＤＡ（Ｐｅｒｓｏｎａｌ  Ｄｉｇｉｔａｌ  Ａｓｓｉｓｔａｎｔｓ）などの電子機器が提供されている。
カメラモジュールは、撮像光学系を保持するレンズ保持部材と、撮像光学系によって導かれた被写体像を撮像する撮像素子と、レンズ保持部材を撮像光学系の光軸に沿って移動させる駆動部とを備えている（特許文献１参照）。
このようなカメラモジュールの付加価値を高めるために、シャッター部を設けたものが提供されている。
すなわち、撮像素子としてＣ−ＭＯＳセンサを採用すると共に、電子機器に撮影補助光を照射するフラッシュライトを設けた構成では、フラッシュライトを発光させて撮像を行う場合、Ｃ−ＭＯＳセンサの読み出し動作を全面読み出しとする必要がある。
このような全面読み出し動作では、フラッシュライト以外の外光の影響を排除するために電子シャッターに代えてメカニカルシャッターを用いる必要がある。したがって、このようなメカニカルシャッターとして機能するシャッター部を設ける必要がある。
【特許文献１】特開２００７−１０８５９７
【発明の開示】
【発明が解決しようとする課題】
【０００３】
従来、カメラモジュールへのシャッター部の取り付けは、カメラモジュールとシャッター部とを位置決めした状態で、シャッター部に設けたねじ挿通孔を挿通したねじをカメラモジュールに設けたねじ孔に螺合することでなされていた。
したがって、ねじやねじ孔が必要となり、部品点数の増加および部品形状の複雑化を招き、カメラモジュールの低コスト化および小型化を図る上で不利がある。
本発明はこのような事情に鑑みなされたものであり、本発明の目的は低コスト化および小型化を図る上で有利なカメラモジュールを提供することにある。
【課題を解決するための手段】
【０００４】
上述の目的を達成するため、本発明は、後鏡筒と、前記後鏡筒の前方に組みつけられ前記後鏡筒と共に撮像光学系を収容する収容空間を形成する前鏡筒と、前記前鏡筒に係止すると共に前記後鏡筒に係止し前記前鏡筒および前記後鏡筒を前後方向において挟持するカバーと、前記前鏡筒の前面に取着されるシャッター部とを備え、前記シャッター部は、前記撮像光学系の光路を開閉するシャッター羽根と、前記シャッター羽根を収容し前記光路用の開口が形成されたケースとを有し、前記シャッター部の前記前鏡筒の前面への取着は、前記カバーに設けられたカバー側係止部と、前記ケースに設けられたケース側係止部とが係止することでなされ、さらに、例えば、前記前鏡筒の前面は矩形枠状を呈し、前記カバーは、前記前面の四隅を除いた部分を覆い中央に開口が設けられた前面部と、前記前面部の互いに対向する辺から後方に屈曲された一対の側面部とを有し、前記カバーによる前記前鏡筒と前記後鏡筒の挟持は、前記前面部が前記前面に係止すると共に、前記後鏡筒に設けられた係止突起が、前記側面部に設けられた係止孔に係止することでなされている。
【発明の効果】
【０００５】
そのため、本発明によれば、カバーに設けられたカバー側係止部と、シャッター部のケースに設けられたケース側係止部とが係止することでシャッター部を前鏡筒の前面への取着するため、部品点数の削減および部品形状の単純化を図る上で有利となり、カメラモジュールの低コスト化および小型化を図る上で有利となる。
【発明を実施するための最良の形態】
【０００６】
次に本発明の実施の形態について図面を参照して説明する。
図１（Ａ）、（Ｂ）は本実施の形態に係るカメラモジュール２０が組み込まれた電子機器の一例を示す外観図である。
図１に示すように電子機器１０は携帯電話機であり、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
第１の筐体１４にカメラモジュール２０が設けられ、カメラモジュール２０で撮像した画像は液晶表示パネル１４０２に表示される。
カメラモジュール２０は被写体像を捉える撮像光学系２８を有し、撮像光学系２８は、第１の筐体１４に設けられた開口１４１０に臨んでいる。
【０００７】
次に、本発明に係るカメラモジュール２０の構成について詳細に説明する。
図２はカメラモジュール２０の斜視図、図３、図４、図１９はカメラモジュール２０の分解斜視図、図５は図２のＸＸ線断面図、図６は図２のＹＹ線断面図である。
図７はカメラモジュール２０の平面図、図８は図７のＡ矢視図、図９は図７のＢ矢視図、図１０は図７のＣ矢視図、図１１は図７のＤ矢視図、図１２は図７の後面図である。
なお、図２乃至図４、図７乃至図１２においては、カメラモジュール２０から基板５６を除いた状態を示している。
また、本実施の形態では、被写体側を前方、その反対側を後方として説明する。
カメラモジュール２０は、図３乃至図６に示すように、上記の撮像光学系２８に加えて、前鏡筒２２と、後鏡筒２４と、カバー２６と、レンズ保持部材３０と、前スプリング３２と、後スプリング３４と、撮像素子３６と、駆動部３８などを含んで構成されている。
【０００８】
（前鏡筒２２）
前鏡筒２２は、後鏡筒２４に組みつけられ後鏡筒２４と共に収容空間Ｓ（図５、図６）を形成するものである。
図４、図５、図６に示すように、前鏡筒２２は周壁４０を含んで構成されている。
周壁４０の内面は、円筒面からなるマグネット取り付け面４００２として形成され、周壁４０の外面は、矩形状に形成されている。
前鏡筒２２は合成樹脂材料を金型で成形することで形成されている。
図２、図３に示すように、周壁４０が後方に臨む後端面は、後鏡筒２４への合わせ面４０１０として形成されている。
また、図４に示すように、前鏡筒２２の周壁４０の互いに対向する２つの外面の後端両側からそれぞれ２つの前側凸部４０２０が突設されている。
【０００９】
（後鏡筒２４）
後鏡筒２４は、図３乃至図６に示すように、底壁４２と、開口４４とを有している。
底壁４２は、収容空間Ｓの前記光軸方向の後端を閉塞する矩形状に形成され、したがって、底壁４２の前面は収容空間Ｓに臨んでいる。
底壁４２は、互いに対向する２組の辺４２０２、４２０４を有し、各組の辺４２０２に、後スプリング３４を取り付けるための２つのピン４６がそれぞれ突設されている。
底壁４２の前面の４辺４２０２、４２０４に沿った箇所は、前鏡筒２２の合わせ面４０１０への合わせ面４２１０として形成されている。
これら後鏡筒２４の合わせ面４２１０は、図５、図６に示すように、前鏡筒２２の合わせ面の合わせ面４０１０にそれぞれ重ね合わされている。
また、図４に示すように、底壁４２の一辺の両側から２つの後側凸部４２２０が突設されている。
開口４４は、底壁４２の中央に形成され、矩形状を呈している。
【００１０】
（マグネット４８）
駆動部３８は、図３乃至図６に示すように、マグネット４８とコイル５２を含んで構成されている。
マグネット４８は、撮像光学系２８の光軸を中心とする円周上に延在して設けられており、本実施の形態では、マグネット４８は、同一形状の４つのマグネット分割体が円周方向に並べられることで構成され、コイル５２の外周に臨んでいる。
本実施の形態では、マグネット４８は、該マグネット４８の磁束を効率よくコイル５２に導くための円筒壁状のヨーク５０の内周面に取着され、このヨーク５０を介して前鏡筒２４のマグネット取り付け面４００２に取着されている。
【００１１】
（コイル５２）
図１３はコイル５２を前方から見た斜視図、図１４はコイル５２を後方から見た斜視図、図１５はコイル５２の平面図、図１６は図１５のＡ矢視図、図１７は図１５のＢ矢視図、図１８はコイル５２の後面図である。
コイル５２は、巻線が撮像光学系２８の光軸を中心とする円周上に巻回されて形成され、その外径は、マグネット４８の内径よりも小さい寸法で形成されている。
コイル５２の後端面に、平面視した場合、コイル５２と略同じ輪郭を有し、かつ、光軸方向の寸法がコイル５２よりも小さい寸法で形成された環状のコイルホルダ５４が取着されている。
コイルホルダ５４は、１８０度位相を異ならせた対向する２箇所に軸部５４０２が半径方向外方に突設され、各軸部５４０２にコイル５２の巻線の両端５２０２がそれぞれ巻回されている。
【００１２】
（撮像素子３６）
撮像素子３６は撮像光学系２８によって導かれる被写体像を撮像するものである。
図５、図６に示すように、撮像素子３６は矩形板状の基板５６の前面に設けられている。
後鏡筒２４の開口４４内に撮像素子３６が位置した状態で、基板５６が後鏡筒２４の底壁４２の後面に接着されるとともに、底壁４２の前面に開口４４を覆う光学フィルター（図略）を接着することで撮像素子３６が封止され、したがって、撮像素子３６は後鏡筒５２に設けられている。
【００１３】
（カバー２６）
図２、図９に示すように、カバー２６は、前面部２６０２と、側面部２６０４とを備えている。
前面部２６０２は矩形板状を呈し、前鏡筒２２の前面を覆うものである。
前面部２６０２が撮像光学系２８に臨む箇所に開口２６０６が形成されている。
側面部２６０４は前面部２６０２の４辺からそれぞれ屈曲形成され、前鏡筒２２および後鏡筒２４の４つの側部を覆うものである。
４つの側面部２６０４のうち対向する１組の側面部２６０４には後鏡筒２４の各係合突起５７に係合する係合溝２６０８が設けられている。
カバー２６の各係合溝２６０８が各係合突起５７に係合することで、カバー２６の前面部２６０２と後鏡筒２４の底壁４２との間に前鏡筒２２が挟持され、これにより前鏡筒２２と後鏡筒２４とが結合されている。
【００１４】
（レンズ保持部材３０）
図２０はレンズ保持部材３０を前方から見た斜視図、図２１はレンズ保持部材３０を後方から見た斜視図、図２２はレンズ保持部材３０の平面図、図２３は図２２のＡ矢視図、図２４は図２２のＢ矢視図、図２５はレンズ保持部材３０の後面図である。
図２６はレンズ保持部材３０とコイル５２の組み立て図、図２７は図２６の姿勢で組み立てたレンズ保持部材３０のＡＡ線断面図である。
【００１５】
レンズ保持部材３０は、図５、図６に示すように、撮像光学系２８を保持して収容空間Ｓに収容されている。
図２０乃至図２５に示すように、レンズ保持部材３０は筒部３００２と、筒部３００２の前部を接続する環状の前部３００３とを有し、前部３００３の中央には開口３００３Ａが設けられている。
撮像光学系２８は複数のレンズ群を含んで構成され、筒部３００２の内部に収容され、開口３００３Ａから前方を臨んでいる。
【００１６】
図２０、図２２に示すように、前部３００３には、筒部３００２の外径よりも小さい外径の膨出壁部３００４が形成され、この膨出壁部３００４の周面は撮像光学系２８の光軸を中心とする円周上を延在する円筒面３００６を形成している。
円筒面３００６の外周に、周方向に等間隔をおいた４箇所に膨出壁部３００４よりも後方に位置するように４つの前側スプリング当接面３００８が形成されており、これら前側スプリング当接面３００８は前記光軸と直交する平面上を延在している。
【００１７】
図２１、図２５に示すように、筒部３００２の後端には、筒部３００２の外径よりも小さい外径の環状の後側スプリング当接面３０１０が形成されている。
後側スプリング当接面３０１０は、前記光軸と同軸上で、光軸と直交する平面上を延在している。
後側スプリング当接面３０１０の外周の筒部３００２の後端箇所で周方向に等間隔をおいた６箇所から係止凸部３０１２が突設されており、これら係止凸部３０１２の内周面は撮像光学系２８の光軸を中心とする円周上を延在する円筒面３０１４を形成している。
【００１８】
図２０、図２２、図２３、図２４に示すように、筒部３００２の外周面は、前端に位置し矩形状に延在する４つの外面５８と、この前端を除く残りの部分に円筒面状に延在する後部円筒面６０とを含んで構成されている。
図２６、図２７に示すように、後部円筒面６０に後述するようにコイル５２が取着される。
また、図２０、図２２、図２３に示すように、４つの外面５８のうちの対向する２つの外面５８と後部円筒面６０とが交差する箇所に、前方を臨む三日月状の端面部６２がそれぞれ設けられている。
各端面部６２は両端に位置する面６４と、それら面６４よりも後端側に位置する中央面６６とを含んで構成されている。
そして、中央面６６と、中央面６６の両側から起立する側面６８と、外面５８とにより後述する接着剤充填用凹部７０の部分が構成される。
【００１９】
レンズ保持部材３０は、溶融状態の合成樹脂が金型のゲートから製品キャビティに充填されることで成形され、成形時の金型のゲートに対応する箇所が図２０に示すようにゲート部７２として残存している。
このゲート部７２は、２つの端面部６２のうちの一方の端面部６２の中央面６６の中央に位置している。
本実施の形態では、合成樹脂はポリカーボネートであり、レンズ保持部材３０として必要な硬度を確保するために合成樹脂にはガラス繊維などのフィラーが含まれている。
ゲート部７２は、中央面６６から突出し、その突出方向の先端がゲート部７２の切断箇所７２０２となっており、この切断箇所７２０２は、振動や衝撃が加わった際に、ゲート部７２に存在するフィラーが粉状に発生する箇所となっている。
【００２０】
（前スプリング３２、後スプリング３４）
前スプリング３２、後スプリング３４は、図５、図６に示すように、収容空間Ｓに配設されレンズ保持部材３０を撮像光学系２８の前記光軸に沿って移動可能に支持する案内機構を構成している。
前スプリング３２は前鏡筒２２とレンズ保持部材３０の間に配設され、後スプリング３４は後鏡筒２４とレンズ保持部材３０の間に配設されるものである。
図３に示すように、前スプリング３２、後スプリング３４は、導電性を有する金属材料で形成された薄く小さい幅の片体から中央に撮像光学系２８の光路用の開口３２０２がそれぞれ確保されるように環状に形成されている。
より詳細に説明すると、前スプリング３２は、内側に開口３２０２が形成された環板部３２０４と、環板部３２０４の外周に接続された４つの支持片３２０６とを有し、前記光軸方向に弾性変形可能に形成されている。
前スプリング３２は、各支持片３２０６の外周部分が前鏡筒２２の周壁４０の前部の四隅に取着され、開口３２０２に、図２０、図２２に示すレンズ保持部材３０の筒部３００２の膨出壁部３００４の円筒面３００６が挿通され、環板部３２０４がレンズ保持部材３０の４つの前側スプリング当接面３００８に当接されて前鏡筒２２とレンズ保持部材３０の間に配設されている。
本実施の形態では、図１２に示すように、４つの支持片３２０６の外周部分は前鏡筒２２の成形時に埋め込まれるインサート成形によって周壁４０の前部の四隅に取着されている。
【００２１】
図３、図１９に示すように、後スプリング３４は、同一形状の２つのスプリング分割体３４Ａで構成されている。
各スプリング分割体３４Ａは半円上を延在する円弧部３４０４を有している。
各スプリング分割体３４Ａの円弧部３４０４は、図２１、図２５に示すレンズ保持体３０の各係止凸部３０１２の円筒面３０１４の内側で、後側スプリング当接面３０１０に接着される。これにより２つの円弧部３４０４の内側に開口３４０２が形成されることになる。
図３に示すように、円弧部３４０４の外周には２つの支持片３４０６、３４０８が接続されており、支持片３４０６、３４０８にはそれぞれ孔３４１０が形成されている。
したがって、各スプリング分割体３４Ａの４つの孔３４１０が後鏡筒２４のピン４６に挿通され、支持片３４０６、３４０８の孔３４１０の周囲の部分が、前鏡筒２２と後鏡筒２４との間で挟持され、これにより、後スプリング３４は、後鏡筒２４とレンズ保持部材３０の間に配設されている。
さらに、図３に示すように、スプリング分割体３４Ａの円弧部３４０４の中間部には、接続片部３４２０がそれぞれ形成され、各接続片部３４２０には図１３に示すコイルホルダ５４の２つの軸部５４０２に巻回されたコイル５２の巻線の両端５２０２が半田付けされる。
また、各スプリング分割体３４Ａの支持片３４０８の先部はコイル５２の外方に延出された外部接続端子３４３０となっている。したがって、コイル５２は各スプリング分割体３４Ａを介して外部接続端子３４３０に電気的に接続されている。
各外部接続端子３４３０は、図１１、図１９に示すように、前鏡筒２２の２つの前側凸部４０２０と、後鏡筒２４の２つの後側凸部４２２０との間にそれぞれ挟持され、各外部接続端子３４３０の先部は、前側凸部４０２０と後側凸部４２２０の先端から外方に露出している。
【００２２】
したがって、コイル５２の巻線に、後スプリング３４の２つの外部接続端子３４３０を介して駆動信号が供給されると、コイル５２から磁界が発生する。
そして、コイル５２によって発生する磁界と、マグネット４８の磁極から発生する磁界との相互作用によってコイル５２に前記光軸方向への力（推力）が発生し、これにより、前スプリング３２、後スプリング３４によって保持されたレンズ保持部材３０および撮像光学系２８が前記光軸方向に移動し、撮像光学系２８によって撮像素子３６の撮像面に結像される被写体像の合焦動作がなされる。
したがって、マグネット４８とコイル５２によりレンズ保持部材３０を撮像光学系２８の光軸に沿って移動させる駆動部３８が構成されることになる。
【００２３】
（レンズ保持部材３０とコイル５２の組み立て）
次に、レンズ保持部材３０とコイル５２の組み立てについて説明する。
図２６、図２７に示すように、レンズホルダ３０の後端にコイル５２の前端を臨ませ、レンズホルダ３０の後部円筒面６０にコイル５２を装着する。
後部円筒面６０へのコイル５２の装着により、図２７に示すように、中央面６６と、中央面６６の両側から起立する側面６８と、外面５８と、コイル５２の内周面とにより、撮像光学系２８の光軸と平行する方向に開放状の接着剤充填用凹部７０が構成される。
本実施の形態では、接着剤充填用凹部７０は、周方向に間隔をおいて２箇所形成される。
そして、各接着剤充填用凹部７０において中央面６６が、撮像光学系２８の光軸と平行する方向を向いた接着剤充填用凹部７０の底面となる。
そして、一方の接着剤充填用凹部７０の中央面６６に、ゲート部７２が位置している。
【００２４】
レンズホルダ３０の後部円筒面６０にコイル５２を装着したならば、調整治具を用いて、レンズホルダ３０とコイル５２とを、撮像光学系２８の光軸方向において、また、光軸と直交する面内において位置決めを行う。
次いで、各接着剤充填用凹部７４に接着剤Ｂを充填することによりレンズ保持部材３０の外周部分とコイル５２の内周部分とが接着される。
その際、一方の接着剤充填用凹部７４では、接着剤Ｂによりゲート部７２が該接着剤Ｂ中に埋設される。
接着剤が硬化されることにより、コイル５２のレンズ保持部材３０への取り付けが完了する。
次いで、レンズ保持部材３０に後スプリング２４を取着し、これにより、レンズ保持部材３０、後スプリング２４、コイル５２、コイルホルダ５４が組み付けられた第２ユニットＵ２（図１９）が構成される。
【００２５】
次に、カメラモジュール２０の組み立て方法について説明する。
図１９に示すように、前鏡筒２２に前スプリング３２とマグネット４８とヨーク５０が組み込まれた第１ユニットＵ１と、上述のように構成された第２ユニットＵ２と、後鏡筒２４とを用意する。
そして、第２ユニットＵ２を後鏡筒２４に組み付ける。詳細には、後スプリング３４の孔３４１０に後鏡筒２４のピン４６を挿通して第２ユニットＵ２と後鏡筒２４とを合わせる。
次いで、その組み付けたものに第１ユニットＵ１を組み付ける。詳細には、前スプリング３２の開口３２０２にレンズ保持部材３０の筒部３００２の膨出壁部３００４の円筒面３００６を挿通し環板部３２０４をレンズ保持部材３０の前側スプリング当接面３００８に当接させて第１ユニットＵ１と第２ユニットＵ２とを合わせる。
最後に、カバー２６を第１ユニットＵ１の上に被せて、その係合溝２６０８を係合突起５７に係合させる。詳細には、カバー２６を第１ユニットＵ１の上に被せて、カバー２６の上面部２６０２と後鏡筒２４の底壁４２との間に前鏡筒２２を挟持させる。
これにより第１ユニットＵ１と、第２ユニットＵ２と、後鏡筒２４とが結合され、カメラモジュール２０が完成する。
【００２６】
このような構成によれば、レンズ保持部材３０に残存するゲート部７２を、接着剤充填用凹部７０の底面の箇所に位置させたので、接着剤充填用凹部７０に充填される接着剤Ｂによりレンズ保持部材６０とコイル５２とが接着すると共にゲート部７２が接着剤Ｂ中に埋設される。
したがって、カメラモジュール２０が組み込まれた電子機器１０を落下させるなどして、レンズ保持部材３０に振動や衝撃が加わったとしても、ゲート部７２の切断箇所７２０２からフィラーが粉状の塵埃となって脱落することを確実に防止できるため、塵埃が撮像光学系３８のレンズや撮像素子３６の撮像面などに付着することがなく、撮像された画像データの品質の向上を図る上で有利となる。
また、従来のように、ゲート部の切断箇所を覆うように接着剤を塗布したり切断箇所をヒータによって溶融するなどしてゲート部からの発塵を防止する特殊な処理工程を省略できるので、製造コストの削減を図る上でも有利となる。
【００２７】
次に放熱構造について説明する。
撮像素子３６は、ＣＣＤあるいはＣ−ＭＯＳセンサなどによって構成されているが、撮像素子３６は撮像動作に伴って発熱する。
撮像素子３６の温度が所定温度を超えた場合には、撮像素子３６の動作が安定して行われず、あるいは、撮像素子３６で生成される撮像信号のノイズ成分が増大してしまうため、撮像素子３６の温度上昇を効果的に防止する必要がある。
そこで、本発明は、ヨーク５０を利用して撮像素子３６から発生される熱を放熱するようにしたものである。
図２８は放熱構造を説明するためのカメラモジュール２０の分解斜視図、図２９はカメラモジュール２０への撮像素子３６の組み付けを説明する説明図、図３０はカメラモジュール２０の斜視図、図３１は図３０のＸＸ線断面図である。
【００２８】
カメラモジュール２０は、図３１に示すように、撮像光学系２８を保持するレンズ保持部材３０と、撮像光学系２８によって導かれた被写体像を撮像する撮像素子３６と、レンズ保持部材３０を撮像光学系２８の光軸に沿って移動させる駆動部３８とを備えている。
駆動部３８は、レンズ保持部材３０の外周に取着されたコイル５２と、コイル５２の外周に臨むマグネット４８と、マグネット４８の外周に取着されたヨーク５０とを含んで構成されている。
ヨーク５０は磁性材料で形成され、このような磁性材料としては、ケイ素鋼、軟鉄、パーマロイ、ステンレスなど従来公知のさまざまな磁性材料が採用可能である。
そして、撮像素子３６とヨーク５０とを連結し、撮像素子３６で発生した熱をヨーク５０に伝達する中継部材８０が設けられている。
【００２９】
図２８乃至図３１に示すように、中継部材８０は、例えば、ヨーク５０に一体に形成されている。
ヨーク５０は、本実施の形態では、マグネット４８の外周に取着される円筒状の本体５００２と、本体５００２の軸方向の端部で周方向に間隔をおいた２箇所から本体５００２の軸方向に延在する２つの脚片５００４とを有し、中継部材８０はそれら２つの脚片５００４で構成されている。
【００３０】
図２９、図３１に示すように、撮像素子３６は、パッケージ８２に封入されている。
詳細には、パッケージ８２は撮像光学系２８に臨む前面とその反対側に位置する後面とを有している。
パッケージ８２の前面には、前方に開放状の矩形状の収容凹部８２０２が形成されている。
撮像素子３６は収容凹部８２０２の底面に取着され、収容凹部８２０２の開口は光学フィルタを兼用するシールガラス８２０４によって覆われ、シールガラス８２０４がパッケージ８２の前面に封止されている。
パッケージ８２の後面は、基板５６の前面に取着され、基板５６はフレキシブル基板７６を介して図示しない信号処理回路などに接続されている。
中継部材８０はヨーク５０に連結されると共にパッケージ８２に結合されている。
したがって、中継部材８０はパッケージ８２を介在した状態で撮像素子３６に連結されている。
【００３１】
このような構成によれば、撮像素子３６で発生した熱は、パッケージ８２から中継部材８０を介してヨーク４８に伝達され、ヨーク４８で放熱される。
したがって、従来のようにヒートシンクなどの専用の放熱部材を設けることなく、撮像素子３６で発生した熱を効果的に放熱できるため、カメラモジュール２０の低コスト化および小型化を図りつつ、撮像素子３６によって生成される撮像信号の品質の向上を図る上で、また、撮像素子３６の動作の安定性を図る上で有利となる。
また、ヨーク４８は、レンズ保持部３０の半径方向外方において周方向に延在していることから、カメラモジュール２０を構成する部材のうちで表面積および体積が最も大きく確保された部材であり、したがって、ヨーク４８によって十分な放熱効果を得る上で有利となる。
【００３２】
次に放熱構造の変形例について説明する。
図３２は放熱構造の変形例を説明するためのカメラモジュール２０の分解斜視図である。
図３２に示すように、撮像素子３６は、パッケージ８２に封入され、パッケージ８２は基板５６上に実装されている。
中継部材８０はヨーク５０に連結されると共に基板５６に結合されている。
詳細には、パッケージ８２が実装される基板５６の前面が中継部材８０に臨む箇所に半田付けパッド５６１０が形成されており、中継部材８０と半田付けパッド５６１０とが半田Ｈを用いた半田付けによって結合されている。
なお、パッケージ８２の前面に位置するシールガラス８２０４と、基板５６の前面に設けられた半田付けパッド５６１０とは、基板５６の厚さ方向において離間しているため、中継部材８０と半田付けパッド５６１０との半田付け作業において発生する半田ボールなどの異物のシールガラス８２０４への付着防止が図られている。
したがって、中継部材８０は、基板５６およびパッケージ８２を介在した状態で撮像素子３６に連結されている。
【００３３】
このような構成によれば、撮像素子３６で発生した熱は、パッケージ８２から基板５６に伝達され、さらに基板５６から中継部材８０を介してヨーク４８に伝達され、ヨーク４８で放熱される。
したがって、このような変形例においても前述した放熱構造と同様の効果が奏される。
【００３４】
なお、撮像素子３６がパッケージ８２に封入されている場合について説明したが、撮像素子３６が基板５６に実装されていてもよい。
その場合には、中継部材８０はヨーク５０に連結されると共に基板５６に結合されている。中継部材８０と基板５６との結合は例えば半田付けによって行うことができる。
すなわち、中継部材８０は基板５６を介在した状態で撮像素子３６に連結されている。
このような構成では、撮像素子３６で発生した熱は、基板５６から中継部材８０を介してヨーク４８に伝達され、ヨーク４８で放熱される。
したがって、前述した放熱構造と同様の効果が奏される。
【００３５】
次に本発明の要旨について説明する。
本発明の要旨は、図３３、図３４に示すように、前鏡筒２２の前面２２０２に取着されるシャッター部８４を備えていることである。
また、シャッター部８４は、撮像光学系２８の光路を開閉する図示しない１枚または複数のシャッター羽根と、シャッター羽根を駆動する図示しないアクチュエータと、前記シャッター羽根およびアクチュエータを収容し前記光路用の開口８６１０が形成されたケース８６とを有していることである。
また、シャッター部８４の前鏡筒２２の前面２２０２への取着は、カバー２６に設けられたカバー側係止部８８と、ケース８６に設けられたケース側係止部９０とが係止することでなされていることである。
【００３６】
より詳細に説明する。
図３３、図３４はシャッター部８４の前鏡筒２２への組み付けを説明する分解斜視図、図３５、図３６はシャッター部８４が前鏡筒２２に組み付けられた状態を示す斜視図である。
図３７、図３８はシールドケース９８の前鏡筒２２への組み付けを説明する分解斜視図、図３９はシールドケース９８が前鏡筒２２に組み付けられた状態を示す斜視図である。
図４０はシャッター部８４の前鏡筒２２への組み付けを説明する断面図、図４１、図４２はシールドケース９８の前鏡筒２２への組み付けを説明する断面図である。
図４３はシールドケース９８が組み付けられたカメラモジュール２０の断面図である。
図４４、図４５は前鏡筒２２の斜視図、図４６は前鏡筒２２への前スプリング３２のインサート成形の説明図である。
【００３７】
本発明が適用された前鏡筒２２の形状およびカバー２６の形状は図２乃至図３２に示す前記実施例と若干異なっている。
前鏡筒２２から説明すると、図３３、図４４に示すように、前鏡筒２２は矩形枠状の前面２２０２を有し、前面２２０２の四隅に、撮像光学系２８の光軸方向の位置決めのための位置決め面２２０４が設けられ、また、各位置決め面２２０４に、前記光軸と直交する面内の位置決めを行うための位置決め孔９２が設けられている。
この位置決め孔９２は、前鏡筒２２を成形する際に、前スプリング３２を同時にインサート成形した際に形成されたものである。
すなわち、図４６に示すように、一対の金型２、４内に前鏡筒２２成形用の製品キャビティが形成され、その際に前スプリング３２の四隅が、一対の金型２、４の凸部２Ａとピン４Ａにより挟持された状態で製品キャビティ内に溶融状態の合成樹脂が注入され、前スプリング３２の４隅を保持した前鏡筒２２が成形される。
位置決め孔９２は、前スプリング３２を保持する金型４のピン４Ａが位置していた孔であり、このような孔を位置決め孔９２として利用することでコストダウンが図られている。
なお、４つの位置決め孔９２のうちの３つはその断面が円形であり、残りの１つはその断面が長円である。
【００３８】
（カバー２６）
次にカバー２６について説明する。
図３３、図３４に示すように、カバー２６は、前面２２０２の四隅（位置決め面２２０４）を除いた部分を覆い中央に光路形成用の開口２６０６が設けられた前面部２６０２と、前面部２６０２の互いに対向する辺から後方に屈曲された一対の側面部２６０４とを有している。すなわち、前記実施例と異なり４つの側面部２６０４ではなく２つの側面部２６０４を有している。
また、各側面部２６０４には、後鏡筒２４の係止突起（係合突起）５７が係止する係止孔（係合溝）２６０８が１つ設けられている。
カバー２６による前鏡筒２２と後鏡筒２４の挟持は、前面部２６０２が前面２２０２に係止すると共に、後鏡筒２４に設けられた係止突起５７が、側面部２６０４に設けられた係止孔２６０８に係止することでなされる。
一対の側面部２６０４は、前面部２６０２の互いに対向する辺に沿った幅を有している。
各側面部２６０４の幅方向の両側に、カバー２６により前鏡筒２２と後鏡筒２４とを挟持した状態で、前鏡筒２２の前面２２０２（位置決め面２２０４）よりも前方に突出する突出片２６１０がそれぞれ設けられている。
突出片２６１０の先部に係止孔２６１２が形成されている。本実施の形態では、上述のカバー側係止部８８は、突出片２６１０の係止孔２６１２である。
【００３９】
（シャッター部８４）
次にシャッター部８４について説明する。
図３３に示すように、ケース８６は光軸方向に厚さが小さい薄板状を呈し、撮像光学系２８の光路用の開口８６１０は、ケース８６の前面と後面にそれぞれ形成されている。
ケース８６の側部に、突出片２６１０の係止孔２６１２に係止可能な係止突起８６０２が設けられている。本実施の形態では、上述のケース側係止部９０は、係止突起８６０２である。
図３４に示すように、カバー側係止部８８とケース側係止部９０とが係止した状態で、ケース８６は前鏡筒２２の前面２２０２の４隅に臨む面を有している。
図３４、図４０、図４１に示すように、前面２２０２の４隅に臨むケース８６の面の４箇所に、位置決め面２２０４に当接して前後方向の位置決めが行う当接部９４が設けられている。
４箇所のうちの２箇所の当接部９４に、位置決め用の突起９６がそれぞれ併設されている。
それら位置決め用の突起９６は、図３３、図４０、図４１に示すように、４つの位置決め孔９２のうちの断面が円形の１つの孔９２Ａと、断面が長円の１つの孔９２Ｂに挿入され、位置決めされる。
カバー２６で挟持された後鏡筒２４および前鏡筒２２に対してシャッター部８４が取着された状態で、シャッター部８４のケース８６は、前鏡筒２２の前面２２０２と反対方向に向いた前面８６０１を有している。
本実施の形態では、図３３、図４３に示すように、シャッター部８４のケース８６の前面８６０１の対向する一対の辺の中間に、ケース８６の前面よりも前方に突出する凸部８６０２がそれぞれ膨出形成されている。
【００４０】
（シールドケース９８）
本実施の形態では、図３７乃至図３９に示すように、カバー２６で挟持された後鏡筒２４および前鏡筒２２に対してシャッター部８４が取着された状態のシャッター部８４、前鏡筒２２、後鏡筒２４を覆うシールドケース９８をさらに備えている。
シールドケース９８は、電磁遮蔽性および弾性を有する材料で形成されている。
電磁遮蔽性および弾性を有する材料としては、りん青銅、洋白、ブリキ、銅、あるいは、りん青銅などの銅合金にニッケルなどのめっき処理を行ったもの、あるいは、ステンレス鋼などの導電性を有しかつ磁性を有さない材料を用いることができる。
シールドケース９８は、光路形成用の開口９８０６が設けられた前面部９８０２と、前面部９８０２の４辺から後方に屈曲された４つの側面部９８０４とを有している。
また、４つの側面部９８０４のうち対向する一対の側面部９８０４には、係止孔９８０８がそれぞれ２つ設けられている。
また、後鏡筒２４には、係止孔９８０８に係合する係止突起２４０２が設けられている。
したがって、図３９、図４２に示すように、前面部９８０２がシャッター部８４のケース８６の前面８６０１に係止すると共に、後鏡筒２４の係止突起２４０２が、側面部９８０４の係止孔９８０８にそれぞれ係止することで、シールドケース９８はシャッター部８４、前鏡筒２２、後鏡筒２４を覆った状態で後鏡筒２４に取着される。
【００４１】
図４２、図４３に示すように、シールドケース９８でシャッター部８４、前鏡筒２２、後鏡筒２４を覆った状態でシールドケース９８の側面部９８０４の内面は、カバー側係止部８８およびケース側係止部９０に近接または接触する。
より詳細には、シールドケース９８でシャッター部８４、前鏡筒２２、後鏡筒２４を覆った状態でシールドケース９８の側面部９８０４の内面は、カバー側係止部８８に近接している。また、シールドケース９８の側面部９８０４の内面は、ケース側係止部９０に接触している。
また、シールドケース９８でシャッター部８４、前鏡筒２２、後鏡筒２４を覆った状態でシャッター部８４のケース８６は、シールドケース９８により前鏡筒２２の前面２２０２（位置決め面２２０４）に付勢される。
本実施の形態では、シールドケース９８の前面部９８０２が凸部８６０２に当接し該凸部８６０２によりシールドケース９８の前面部９８０２が撓んだ状態（弾性変形した状態）でシールドケース９８が配設されている。
より詳細には、シールドケース９８の配設状態でシールドケース９８の前面部９８０２は、凸部８６０２に当接したシールドケース９８の前面部９８０２部分が他の前面部９８０２部分よりも前方に位置するように弾性変形している。
そして、このような前面部９８０２の弾性変形により、シールドケース９８の側面部９８０４の内面が、カバー側係止部８８およびケース側係止部９０に近接または接触し、また、シャッター部８４のケース８６は、シールドケース９８により前鏡筒２２の前面２２０２に付勢されている。
【００４２】
そして、図４７に示すように、シールドケース４８を後鏡筒２４に取り付け、基板５６（図３１）に信号伝達用のフレキシブル基板１００を半田付けにより電気的に接続することでカメラモジュール２０が完成する。
なお、図４７において符号２１は、シャッター部８４の開口８６１０を覆うようにケース８６の前面に取着された防塵用の透明板を示す。
【００４３】
以上説明したように本実施の形態によれば、カバー２６に設けられたカバー側係止部８８と、ケース８６に設けられたケース側係止部９０とが係止することでシャッター部８４を前鏡筒２２の前面２２０２への取着するため、シャッター部８４を取り付けるためのねじやねじ孔が不要となる。
したがって、部品点数の削減および部品形状の単純化を図る上で有利となり、カメラモジュールの低コスト化および小型化を図る上で有利となる。
【００４４】
また、本実施の形態では、前鏡筒２２を成形する際に、前スプリング３２を挟持する金型４のピン４Ａによって形成される孔を、シャッター部８４を取り付けるための位置決め孔９２として利用するため、位置決め用の専用の部品を設けたり、あるいは、位置決め用の部品形状を設けたりすることなく、撮像光学系２８の光軸と直交する平面内でのシャッター部８４の位置決め精度を確保する上で有利となる。
このようなシャッター部８４の、光軸と直交する方向の位置決め精度を確保することによって、シャッター部８４のシャッター羽根に光束の一部が遮られることよるケラレ、シャッター羽根の縁部で光束の一部が反射されることによる輝度ムラ（シェーディング）の発生を確実に防止でき、撮像素子３６によって撮像される画像の品質の向上を図る上で有利となる。
【００４５】
また、本実施の形態では、シールドケース９８の側面部９８０４の内面がカバー側係止部８８およびケース側係止部９０に近接または接触することで、カバー２６と後鏡筒２４との係合が外れることを防止しているので、カメラモジュール２０の耐衝撃性の向上を図る上で有利となる。
また、本実施の形態では、シールドケース９８の前面部９８０２の弾性変形により、シャッター部８４のケース８６が前鏡筒２２の前面２２０２（位置決め面２２０４）に付勢されているので、シャッター部８４と前鏡筒２２および後鏡筒２４とをより強固に連結でき、カメラモジュール２０の耐衝撃性の向上を図る上でより一層有利となる。
【００４６】
なお、本実施の形態では、シールドケース９８を用いてシャッター部８４のケース８６を前鏡筒２２の前面２２０２（位置決め面２２０４）に付勢する場合について説明したが、シールドケース９８を用いることなく、前カバー２６に当接することでシャッター部８４のケース８６を前鏡筒２２の前面２２０２（位置決め面２２０４）に付勢するばね片を設けてもよい。
【００４７】
また、本実施の形態では、シャッター部８４を有するカメラモジュール２０について説明したが、シャッター部８４を有しないカメラモジュール２０を構成する場合には、図４８に示すように、カバー２６として、カバー側係止部８８が省略されたものを使用すればよい。
したがって、カバー２６として、カバー側係止部８８を有するものと、カバー側係止部８８を有さないものとの２種類のカバーを用意しておけば、シャッター部８４を有するカメラモジュール２０と、シャッター部８４を有さないカメラモジュール２０との双方を簡単に組み立てることができる。
そのため、シャッター部８４を取り付けるための取り付け構造を前鏡筒２２に形成した場合に比較して、そのような取り付け構造を形成した前鏡筒２２と、そのような取り付け構造を形成しない前鏡筒２２との２種類の前鏡筒２２を製造する必要が無いことは無論のこと、前鏡筒２２と後鏡筒２４とを組み立て時に使用する治具を、２種類の前鏡筒２２に応じてそれぞれ用意する必要も無いため、製造コストの削減を図る上で有利となる。
【００４８】
（比較例）
次に比較例について説明する。
図４９は比較例におけるシャッター部８４の前鏡筒２２への組み付けを説明する分解斜視図、図５０はシャッター部８４が前鏡筒２２に組み付けられた状態を示す斜視図である。以下では、本実施の形態と同様の部分、部材には同一の符号を付して説明する。
図４９に示すように、比較例のカメラモジュール２０´では、前鏡筒２２は、２つの係止爪２２２０と、１つの位置決め突起２２２２と、取り付け用のねじ孔２２２４、ねじ孔２２２４の周囲に形成された当て付け面２２２６とを有している。
シャッター部８４のケース８６には、前記２つの係止爪２２２０が挿通される２つの係止孔８６２０と、各係止孔８６２０に設けられた係止面６８２２と、前記位置決め突起２２２２が係合する図示しない位置決め孔と、ねじＮが挿通されるねじ挿通孔８６２４と、ねじ挿通孔８６２４の周囲に形成された当て付け面８６２６とが設けられている。
そして、前鏡筒２２の各係止爪２２２０を、シャッター部８４の２つの係止孔８６２０に挿通させた状態で係止面６８２２に係止させると共に、前鏡筒２２の位置決め突起２２２２をシャッター部８４の前記位置決め孔に挿通し、さらに当て付け面２２２６、８６２６を当て付けることでシャッター部８４の前鏡筒２２に対する撮像光学系２８の光軸方向および光軸と直交する平面内での位置決めがなされる。
その状態で、ねじ挿通孔８６２４を挿通したねじＮをねじ孔２２２４に螺合することでシャッター部８４の前鏡筒２２への取り付けがなされる。
このような従来のカメラモジュール２０´では、シャッター部８４を前鏡筒２２に位置決めして取り付けるための構成として、ねじ孔２２２４およびねじＮが必要となるばかりでなく、前鏡筒２２に係止爪２２２０を設けると共に、シャッター部８４のケース８６に係止孔８６２０、係止面８６２２を設けなくてはならず、部品点数が増加し、また、部品形状が複雑化するため、低コスト化および小型化を図る上で不利がある。
これに対して本実施の形態のカメラモジュール２０によれば、上述のねじ孔２２２４およびねじＮなどを省略できるため、部品点数を大幅に削減できる。
また、前鏡筒２２に係止爪２２２０などを設ける必要がなくなるため、前鏡筒２２の形状の単純化を図る上で有利となり、比較例に比べて低コスト化および小型化を図る上で格段に有利となっている。
【００４９】
また、本実施の形態では、カメラモジュール２０が組み込まれる電子機器１０が携帯電話機である場合について説明したが、本発明の撮像装置は、例えば、ＰＤＡ、ノート型パーソナルコンピュータなどの携帯情報端末、あるいは、デジタルスチルカメラ、ビデオカメラなどの種々の電子機器に広く適用可能である。
また、本実施の形態では、駆動部が、レンズ保持部に取着されたコイルと、後鏡筒２４に取着されたマグネットとで構成されたいわゆるムービングコイル方式である場合について説明した。しかしながら、本発明は、駆動部が、レンズ保持部に取着されたマグネットと、後鏡筒２４に取着されたコイルとで構成されているいわゆるムービングマグネット方式である場合にも無論適用可能である。
【図面の簡単な説明】
【００５０】
【図１】（Ａ）、（Ｂ）は本実施の形態に係るカメラモジュール２０が組み込まれた電子機器の一例を示す外観図である。
【図２】カメラモジュール２０の斜視図である。
【図３】カメラモジュール２０の分解斜視図である。
【図４】カメラモジュール２０の分解斜視図である。
【図５】図２のＸＸ線断面図である。
【図６】図２のＹＹ線断面図である。
【図７】カメラモジュール２０の平面図である。
【図８】図７のＡ矢視図である。
【図９】図７のＢ矢視図である。
【図１０】図１０は図７のＣ矢視図である。
【図１１】図１１は図７のＤ矢視図である。
【図１２】図１２は図７の後面図である。
【図１３】コイル５２を前方から見た斜視図である。
【図１４】コイル５２を後方から見た斜視図である。
【図１５】コイル５２の平面図である。
【図１６】図１５のＡ矢視図である。
【図１７】図１５のＢ矢視図である。
【図１８】コイル５２の後面図である。
【図１９】カメラモジュール２０の分解斜視図である。
【図２０】レンズ保持部材３０を前方から見た斜視図である。
【図２１】レンズ保持部材３０を後方から見た斜視図である。
【図２２】レンズ保持部材３０の平面図である。
【図２３】図２２のＡ矢視図である。
【図２４】図２２のＢ矢視図である。
【図２５】レンズ保持部材３０の後面図である。
【図２６】レンズ保持部材３０とコイル５２の組み立て図である。
【図２７】図２６の姿勢で組み立てたレンズ保持部材３０のＡＡ線断面図である。
【図２８】放熱構造を説明するためのカメラモジュール２０の分解斜視図である。
【図２９】カメラモジュール２０への撮像素子３６の組み付けを説明する説明図である。
【図３０】カメラモジュール２０の斜視図である。
【図３１】図３０のＸＸ線断面図である。
【図３２】放熱構造の変形例を説明するためのカメラモジュール２０の分解斜視図である。
【図３３】シャッター部８４の前鏡筒２２への組み付けを説明する分解斜視図である。
【図３４】シャッター部８４の前鏡筒２２への組み付けを説明する分解斜視図である。
【図３５】シャッター部８４が前鏡筒２２に組み付けられた状態を示す斜視図である。
【図３６】シャッター部８４が前鏡筒２２に組み付けられた状態を示す斜視図である。
【図３７】シールドケース９８の前鏡筒２２への組み付けを説明する分解斜視図である。
【図３８】シールドケース９８の前鏡筒２２への組み付けを説明する分解斜視図である。
【図３９】シールドケース９８が前鏡筒２２に組み付けられた状態を示す斜視図である。
【図４０】シャッター部８４の前鏡筒２２への組み付けを説明する断面図である。
【図４１】シールドケース９８の前鏡筒２２への組み付けを説明する断面図である。
【図４２】シールドケース９８の前鏡筒２２への組み付けを説明する断面図である。
【図４３】シールドケース９８が組み付けられたカメラモジュール２０の断面図である。
【図４４】前鏡筒２２の斜視図である。
【図４５】前鏡筒２２の斜視図である。
【図４６】前鏡筒２２への前スプリング３２のインサート成形の説明図である。
【図４７】カメラモジュール２０の組み立て完成状態を示す斜視図である。
【図４８】シャッター部８４を有しないカメラモジュール２０の斜視図である。
【図４９】比較例におけるシャッター部８４の前鏡筒２２への組み付けを説明する分解斜視図である。
【図５０】シャッター部８４が前鏡筒２２に組み付けられた状態を示す斜視図である。
【符号の説明】
【００５１】
２０……カメラモジュール、２２……前鏡筒、２２０２……前面、２４……後鏡筒、２６……カバー、２８……撮像光学系、８４……シャッター部、８６……ケース、９０……ケース側係止部、９２……カバー側係止部。
【図１】
0005169361.tif 000002
【図２】
0005169361.tif 000003
【図３】
0005169361.tif 000004
【図４】
0005169361.tif 000005
【図５】
0005169361.tif 000006
【図６】
0005169361.tif 000007
【図７】
0005169361.tif 000008
【図８】
0005169361.tif 000009
【図９】
0005169361.tif 000010
【図１０】
0005169361.tif 000011
【図１１】
0005169361.tif 000012
【図１２】
0005169361.tif 000013
【図１３】
0005169361.tif 000014
【図１４】
0005169361.tif 000015
【図１５】
0005169361.tif 000016
【図１６】
0005169361.tif 000017
【図１７】
0005169361.tif 000018
【図１８】
0005169361.tif 000019
【図１９】
0005169361.tif 000020
【図２０】
0005169361.tif 000021
【図２１】
0005169361.tif 000022
【図２２】
0005169361.tif 000023
【図２３】
0005169361.tif 000024
【図２４】
0005169361.tif 000025
【図２５】
0005169361.tif 000026
【図２６】
0005169361.tif 000027
【図２７】
0005169361.tif 000028
【図２８】
0005169361.tif 000029
【図２９】
0005169361.tif 000030
【図３０】
0005169361.tif 000031
【図３１】
0005169361.tif 000032
【図３２】
0005169361.tif 000033
【図３３】
0005169361.tif 000034
【図３４】
0005169361.tif 000035
【図３５】
0005169361.tif 000036
【図３６】
0005169361.tif 000037
【図３７】
0005169361.tif 000038
【図３８】
0005169361.tif 000039
【図３９】
0005169361.tif 000040
【図４０】
0005169361.tif 000041
【図４１】
0005169361.tif 000042
【図４２】
0005169361.tif 000043
【図４３】
0005169361.tif 000044
【図４４】
0005169361.tif 000045
【図４５】
0005169361.tif 000046
【図４６】
0005169361.tif 000047
【図４７】
0005169361.tif 000048
【図４８】
0005169361.tif 000049
【図４９】
0005169361.tif 000050
【図５０】
0005169361.tif 000051